(57)【要約】【課題】洗浄液の消費量を削減することができる自動分析装置を提供する。【解決手段】各試料を測定する分析部２４と、分析部２４で測定に使用された反応容器３を識別する容器ＩＤを含む検査情報を保存する検査情報記憶部３２と、測定外洗浄のときに洗浄液を用いて洗浄する洗浄対象の反応容器３を決定する検索部４０と、検査情報に含まれる検索情報を設定するための表示部７２に表示される各第１乃至第３の検索情報設定画面７３，７４，７５とを備え、検索部４０は、各第１乃至第３の検索情報設定画面７３，７４，７５で設定された検索情報を有する検査情報を検査情報記憶部３２に保存された検査情報の中から検索し、検索した検査情報に含まれる容器ＩＤで識別される反応容器３を、洗浄液を用いて洗浄する洗浄対象の反応容器３として決定する。【選択図】図１
2010002344.tif 000002
【特許請求の範囲】
【請求項１】
被検試料及びこの被検試料の検査項目に該当する試薬を反応容器に分注して、その混合液を測定する分析手段を備えた自動分析装置において、
前記分析手段により測定に使用された反応容器を識別する識別情報を含む検査情報を保存する検査情報記憶手段と、
前記検査情報記憶手段に保存された検査情報に含まれる検索情報を設定する検索情報設定手段と、
前記分析手段による測定以外のときに、前記検索情報設定手段により設定された検索情報を有する検査情報に含まれる識別情報で識別される反応容器を、洗浄液を用いて洗浄する第１の洗浄手段とを
備えたことを特徴とする自動分析装置。
【請求項２】
前記検索情報設定手段により設定された検索情報は、前記検査項目の情報であることを特徴とする請求項１に記載の自動分析装置。
【請求項３】
前記検索情報設定手段により設定された検索情報は、前記分析手段の測定により生成された分析データが予め設定された範囲から外れている場合に付加されるフラグであることを特徴とする請求項１に記載の自動分析装置。
【請求項４】
前記検索情報設定手段により設定された検索情報は、前記被検試料を識別する識別情報であることを特徴とする請求項１に記載の自動分析装置。
【請求項５】
前記分析手段による測定のときに、前記反応容器を洗浄する第２の洗浄手段を有し、
前記第１の洗浄手段は、前記検索情報設定手段により設定された検索情報を有する検査情報に含まれる識別情報で識別される反応容器内に前記洗浄液を供給した後、前記第２の洗浄手段が洗浄する時間よりも長い時間経過した後にその反応容器内の洗浄液を排出して洗浄動作を終了するようにしたことを特徴とする請求項１に記載の自動分析装置。
【請求項６】
前記第１の洗浄手段は、前記検索情報設定手段により設定された検索情報を有する検査情報に含まれる識別情報で識別される反応容器内に、前記洗浄液を供給して洗浄動作を終了するようにしたことを特徴とする請求項１に記載の自動分析装置。
【発明の詳細な説明】
【技術分野】
【０００１】
本発明は、液体に含まれている成分を分析する自動分析装置に係り、特に、洗浄機能を備えた自動分析装置に関する。
【背景技術】
【０００２】
自動分析装置は生化学検査項目や免疫検査項目等を対象とし、被検体から採取された被検試料とこの被検試料の検査項目に該当する試薬の反応によって生ずる色調や濁りの変化を、分光光度計や比濁計等の光分析器を用いて光学的に測定することにより、被検試料に含まれる各検査項目の成分濃度や酵素の活性等の分析データを生成する。
【０００３】
この自動分析装置では、多数の検査項目の中から、検査対象となる検査項目を設定した被検試料の分析が行われる。そして、被検試料は、サンプル分注プローブを用いて試料容器から反応容器に分注される。また、試薬は、試薬分注プローブを用いて試薬容器から反応容器に分注される。更に、反応容器に分注された被検試料及び試薬の混合液は、撹拌子を用いて撹拌された後、光分析器を用いて測定される。
【０００４】
そして、サンプル分注プローブ、試薬分注プローブ、及び撹拌子の各分析ユニットは、洗浄水を用いて被検試料の分注終了毎、試薬の分注終了毎、及び混合液の撹拌終了毎に洗浄される。また、反応容器は、洗浄ユニットにより洗浄水及びこの洗浄水よりも強力な洗浄力を有する洗浄液を用いて混合液の測定終了毎に洗浄される。
【０００５】
しかしながら、多数の被検試料をしかも多項目に亘って測定する自動分析装置では、測定中における混合液の測定終了毎の洗浄だけでは除去できない被検試料或いは試薬に含まれる物質、又は被検試料と試薬の反応により生成された物質が反応容器内に蓄積して、分析データが悪化する問題がある。この問題を避けるために、測定終了後に反応容器に洗浄液を供給して測定終了毎の洗浄よりも長時間に亘って洗浄を行うことができる自動分析装置が知られている（例えば、特許文献１参照。）。
【特許文献１】特開２００１−２８９８６４号公報
【発明の開示】
【発明が解決しようとする課題】
【０００６】
しかしながら、複数の反応容器を有する自動分析装置で測定終了後に反応容器を洗浄する場合、洗浄液を用いてすべての反応容器の洗浄を行うため、大量の洗浄液を必要とする問題がある。
【０００７】
本発明は、上記問題点を解決するためになされたもので、洗浄液の消費量を削減することができる自動分析装置を提供することを目的とする。
【課題を解決するための手段】
【０００８】
上記目的を達成するために、本発明の自動分析装置は、被検試料及びこの被検試料の検査項目に該当する試薬を反応容器に分注して、その混合液を測定する分析手段を備えた自動分析装置において、前記分析手段により測定に使用された反応容器を識別する識別情報を含む検査情報を保存する検査情報記憶手段と、前記検査情報記憶手段に保存された検査情報に含まれる検索情報を設定する検索情報設定手段と、前記分析手段による測定以外のときに、前記検索情報設定手段により設定された検索情報を有する検査情報に含まれる識別情報で識別される反応容器を、洗浄液を用いて洗浄する第１の洗浄手段とを備えたことを特徴とする。
【発明の効果】
【０００９】
本発明によれば、測定以外の洗浄のときに、洗浄液を用いて洗浄する反応容器を予め設定された検索情報に基づいて決定することにより、洗浄液の消費量を削減することができる。
【発明を実施するための最良の形態】
【００１０】
以下に、本発明による自動分析装置の実施例を、図１乃至図８を参照して説明する。
【実施例】
【００１１】
図１は、本発明の実施例に係る自動分析装置の構成を示したブロック図である。この自動分析装置１００は、各検査項目の標準試料や被検体から採取された被検試料等の各試料及び各検査項目に該当する試薬の混合液の測定により標準データや被検データを生成する分析部２４と、分析部２４の測定に関る各分析ユニットの制御を行う分析制御部２５と、分析部２４で生成された標準データや被検データを処理して検量データや分析データを生成するデータ処理部３０とを備えている。
【００１２】
また、分析部２４の測定以外のときに洗浄液を用いて洗浄する洗浄対象のユニットを決定する検索部４０と、データ処理部３０で生成された検量データや分析データを出力する出力部７０と、各試料を識別する識別情報やその試料の検査項目を含む検査情報等の入力を行う操作部８０と、上述した各ユニットを統括して制御するシステム制御部９０とを備えている。
【００１３】
図２は、分析部２４の構成を示した斜視図である。この分析部２４は純水装置１１０に接続され、標準試料や被検試料等の各試料を収容する試料容器１７と、この試料容器１７を収納するディスクサンプラ５と、ディスクサンプラ５に収納する試料容器１７に貼付されたその試料容器１７内の各試料を識別する識別情報を読み取るリーダ１７ａと、各試料に含まれる各検査項目の成分に選択的に反応する第１試薬が収容された試薬容器６と、この試薬容器６を保持する試薬ラック１ａを有する試薬庫１と、２試薬系により構成される検査項目の第１試薬と対をなす第２試薬が収容された試薬容器７と、この試薬容器７を保持する試薬ラック２ａを有する試薬庫２と、円周上に配置された複数の反応容器３を回転可能に保持する反応ディスク４とを備えている。
【００１４】
また、リーダ１７ａに読み取られた識別情報が予め設定された識別情報に一致する又は含まれる試料容器１７内の各試料をサンプル分注プローブ１６内に吸引して反応容器３内へ吐出する分注を行うサンプル分注ポンプ１６ｂと、各試料の分注終了毎にサンプル分注プローブ１６を純水装置１１０で精製された純水等の洗浄水を用いて洗浄する洗浄槽１６ａと、各試料の分注を行うためにサンプル分注プローブ１６を回動及び上下移動可能に保持するサンプル分注アーム１０とを備えている。
【００１５】
また、試薬庫１に収納された試薬容器６内の第１試薬を第１試薬分注プローブ１４内に吸引して各試料が分注された反応容器３内に吐出する分注を行う第１試薬分注ポンプ１４ｂと、第１試薬の分注終了毎に第１試薬分注プローブ１４を純水装置１１０の洗浄水を用いて洗浄する洗浄槽１４ａと、第１試薬の分注を行うために第１試薬分注プローブ１４を回動及び上下移動可能に保持する第１試薬分注アーム８とを備えている。
【００１６】
また、反応容器３内に分注された各試料及び第１試薬からなる第１混合液を撹拌するための第１撹拌子１８と、第１混合液の撹拌終了毎に第１撹拌子１８を純水装置１１０の洗浄水を用いて洗浄する洗浄槽１８ａと、第１撹拌子１８を回動及び上下移動可能に保持する第１撹拌アーム２０とを備えている。
【００１７】
また、試薬庫２に収納された試薬容器７内の第２試薬を第２試薬分注プローブ１５内に吸引して各試料及び第１試薬が分注された反応容器３内に吐出する分注を行う第２試薬分注ポンプ１５ｂと、第２試薬の分注終了毎に第２試薬分注プローブ１５を純水装置１１０の洗浄水を用いて洗浄する洗浄槽１５ａと、第２試薬の分注を行うために第２試薬分注プローブ１５を回動及び上下移動可能に保持する第２試薬分注アーム９とを備えている。
【００１８】
また、反応容器３内に分注された各試料、第１試薬、及び第２試薬からなる第２混合液を撹拌するための第２撹拌子１９と、第２混合液の撹拌終了毎に第２撹拌子１９を純水装置１１０の洗浄水を用いて洗浄する洗浄槽１９ａと、第２撹拌子１９を回動及び上下移動可能に保持する第２撹拌アーム２１とを備えている。
【００１９】
また、反応容器３内の第１混合液や第２混合液を光学的に測定する測光ユニット１３と、反応容器３内の測定を終えた第１混合液や第２混合液を吸引した後に、洗浄水よりも強力な洗浄力を有する分析部２４内に配置されたタンクの洗浄液及び純水装置１１０の洗浄水を用いて反応容器３内を洗浄する洗浄ユニット１２とを備えている。なお、洗浄液として、例えば酸性洗浄液、アルカリ性洗浄液、界面活性剤を含む洗浄液等を用いる。
【００２０】
そして、測光ユニット１３は、回転移動する反応容器３内の標準試料を含む第１混合液や第２混合液に光を照射し、各混合液内を透過した各検査項目の波長光を検出して標準データを生成する。また、反応容器３内の被検試料を含む第１混合液や第２混合液に光を照射し、その混合液内を透過した各検査項目の波長光を検出して被検データを生成する。そして生成した標準データや被検データをデータ処理部３０に出力する。また、測定後の反応容器３は、洗浄された後、再び測定に使用される。
【００２１】
分析制御部２５は、分析部２４の各分析ユニットを駆動する機構部２６及びこの機構部２６を制御して分析部２４の各分析ユニットを作動させる制御部２７を備えている。そして、機構部２６は、分析部２４のディスクサンプラ５、試薬庫１の試薬ラック１ａ、及び試薬庫２の試薬ラック２ａを夫々回動する機構、反応ディスク４を回転する機構、サンプル分注アーム１０、第１試薬分注アーム８、第２試薬分注アーム９、第１撹拌アーム２０、及び第２撹拌アーム２１を夫々回動及び上下移動する機構を備えている。また、サンプル分注ポンプ１６ｂ、第１試薬分注ポンプ１４ｂ、及び第２試薬分注ポンプ１５ｂを夫々吸引及び吐出駆動する機構、洗浄ユニット１２を洗浄駆動する機構等を備えている。
【００２２】
制御部２７は、機構部２６の各機構を制御する制御回路を備え、機構部２６の各機構を制御して分析部２４に各試料の測定動作を実行させる。また、各試料を試料容器１７から反応容器３に分注したときの時刻（分注時刻）、及び各試料の測定に使用する反応容器３を識別する識別情報である例えば容器ＩＤをシステム制御部９０に出力する。更に、測定開始前又は測定終了後に各分析ユニットを洗浄する測定外洗浄における動作を分析部２４に実行させる。
【００２３】
図１のデータ処理部３０は、分析部２４の測光ユニット１３から出力された標準データや被検データから各検査項目の検量データや分析データを生成する演算部３１と、演算部３１で生成された検量データや分析データを保存する検査情報記憶部３２とを備えている。
【００２４】
演算部３１は、測光ユニット１３から出力された標準データ及び予め設定された標準試料の標準値から、各検査項目の成分の濃度や活性値と標準データの関係を表す検量データを生成し、生成した検量データを検査情報記憶部３２及び出力部７０に出力する。
【００２５】
また、測光ユニット１３から出力された被検データに対応する検査項目の検量データを検査情報記憶部３２から読み出す。次いで読み出した検量データを用いてその被検データから濃度や活性値として表される分析データを生成し、生成した分析データに検査項目の情報を付加する。また、生成した分析データにこの分析データが予め設定された健康として診断される範囲である基準範囲から外れる場合には異常データフラグを付加する。更に、生成した分析データにこの分析データが予め設定された自動分析装置１００で分析可能な範囲（測定範囲）から外れる場合には測定異常フラグを付加する。更にまた、生成した分析データにシステム制御部９０から供給される分注時刻及び容器ＩＤを付加する。
【００２６】
そして、異常データフラグ、測定異常フラグ、分析時刻、容器ＩＤ等の検査情報を付加した分析データを検査情報記憶部３２及び出力部７０に出力する。
【００２７】
検査情報記憶部３２は、ハードディスクなどを備え、演算部３１から出力された検量データを保存する。また、演算部３１から出力された検査情報が付加された分析データを保存する。
【００２８】
検索部４０は、データ処理部３０の検査情報記憶部３２に保存された検査情報の中から予め設定された検索情報を有する検査情報を検索する。そして、検索した検査情報に含まれる容器ＩＤで識別される反応容器３を、測定外洗浄のときに、例えば酸性洗浄液、アルカリ性洗浄液、界面活性剤を含む洗浄液等の洗浄液を用いて洗浄する洗浄対象の反応容器３として決定する。
【００２９】
出力部７０は、データ処理部３０の演算部３１から出力された検量データや検査情報が付加された分析データを印刷出力する印刷部７１及び表示出力する表示部７２を備えている。そして、印刷部７１は、プリンタなどを備え、演算部３１から出力された検量データや検査情報が付加された分析データを予め設定されたフォーマットに従って、プリンタ用紙などに印刷する。
【００３０】
表示部７２は、ＣＲＴや液晶パネルなどのモニタを備え、演算部３１から出力された検量データや検査情報が付加された分析データを表示する。また、自動分析装置１００で検査可能な検査項目の基準範囲及び測定範囲を含む分析条件を設定するための分析条件設定画面、検索部４０で検索する検索情報（第１乃至第３の検索情報）を設定するための第１乃至第３の検索情報設定画面、測定対象の各試料の識別情報を設定するための識別情報設定画面、被検試料の検査項目を設定するための検査項目設定画面、測定外洗浄の洗浄条件を設定するための洗浄条件設定画面等を表示する。
【００３１】
操作部８０は、キーボード、マウス、ボタン、タッチキーパネルなどの入力デバイスを備え、各検査項目の分析条件の設定や、各検索情報、各試料の識別情報、検査項目の情報等の検査情報の設定を行うための入力操作を行う。
【００３２】
システム制御部９０は、ＣＰＵ及び記憶回路９１を備え、操作部８０から入力されたコマンド信号、分析条件、検索情報、識別情報、検査項目の情報等の入力情報を記憶回路９１に記憶した後、これらの入力情報に基づいて、分析制御部２５、データ処理部３０、検索部４０、及び出力部７０を統括して制御する。
【００３３】
次に、図１乃至図７を参照して、分析部２４で実行される測定外洗浄について説明する。図３は、検査情報記憶部３２に保存された検査情報の構成の一例を示す図である。図４は、表示部７２に表示された第１の検索情報設定画面の一例を示す図である。図５は、表示部７２に表示された第２の検索情報設定画面の一例を示す図である。図６は、表示部７２に表示された第３の検索情報設定画面の一例を示す図である。図７は、表示部７２に表示された洗浄条件設定画面を示す図である。
【００３４】
図３において、検査情報記憶部３２には時系列的に分析データ及び検査情報Ａ１乃至ＡＫが保存されている。そして、分析データ及び検査情報Ａ１は、分注時刻ａ１０ａ、試料の識別情報ａ１０ｂ、この識別情報ａ１０ｂの試料が分注された反応容器３の容器ＩＤａ１０ｃ、検査項目の情報ａ１０ｄ、分析データａ１０ｅ、異常データフラグの有無の情報ａ１０ｆ、及び測定異常フラグの有無の情報ａ１０ｇ等により構成される。
【００３５】
分析データ及び検査情報Ａ２は、分注時刻ａ２０ａ、分析データ及び検査情報Ａ１と同じ識別情報ａ１０ｂ、容器ＩＤａ２０ｃ、検査項目の情報ａ２０ｄ、分析データａ２０ｅ、異常データフラグの有無の情報ａ２０ｆ、及び測定異常フラグの有無の情報ａ２０ｇ等により構成される。
【００３６】
各分析データ及び検査情報Ａ３乃至Ａ５は、各分注時刻ａ３０ａ乃至ａ５０ａ、検査情報Ａ１と同じ識別情報ａ１０ｂ、各容器ＩＤａ３０ｃ乃至ａ５０ｃ、各検査項目の情報ａ３０ｄ乃至ａ５０ｄ、各分析データａ３０ｅ乃至ａ５０ｅ、各異常データフラグの有無の情報ａ３０ｆ乃至ａ５０ｆ、及び各測定異常フラグの有無の情報ａ３０ｇ乃至ａ５０ｇ等により構成される。
【００３７】
分析データ及び検査情報ＡＫは、分注時刻ａＫ０ａ、検査情報Ａ１とは異なる識別情報ａＫ０ｂ、容器ＩＤａＫ０ｃ、検査項目の情報ａＫ０ｄ、分析データａＫ０ｅ、異常データフラグの有無の情報ａＫ０ｆ、及び測定異常フラグの有無の情報ａＫ０ｇ等により構成される。
【００３８】
表示部７２に表示された第１の検索情報設定画面の一例を示した図である。第１の検索情報設定画面７３は、表示部７２の分析条件設定画面で設定された検査可能な項目の中から最大でｎ種類の検査項目を第１の検索情報として設定するための「項目」の欄により構成される。そして、操作部８０からの入力操作により、「項目」の欄に設定された第１の検索情報は、システム制御部９０の記憶回路９１に保存される。
【００３９】
「項目」の欄には、分析部２４の洗浄ユニット１２による測定中の洗浄だけでは、第１試薬又は第２試薬が反応容器３内に残存して、他の検査項目の分析に影響を与える可能性がある試薬に該当する検査項目を第１の検索情報として設定する。そして、他の検査項目の分析に影響を与える可能性がある検査項目を選択して入力する操作が操作部８０から行われると、ダイアログボックス７３１内に影響を与える可能性がある検査項目である例えば「項目Ａ」が表示される。また、検査項目が入力されない例えば各ダイアログボックス７３２乃至７３ｎ内は空白になる。
【００４０】
ここで、第１の検索情報として「項目Ａ」が設定されていると、検索部４０では、データ処理部３０の検査情報記憶部３２に保存された検査情報の中から検査項目の情報である「項目Ａ」を有する検査情報を検索する。次いで、検索した検査情報に含まれる容器ＩＤで識別される反応容器３を、洗浄対象の反応容器として決定する。
【００４１】
図５は、表示部７２に表示された第２の検索情報設定画面の一例を示した図である。この第２の検索情報設定画面７４は、第２の検索情報を設定するための「測定範囲」の欄、「基準範囲」の欄、及び「データ」の欄により構成される。そして、操作部８０からの入力操作により、各欄に設定された第２の検索情報は、システム制御部９０の記憶回路９１に保存される。
【００４２】
「測定範囲」の欄に、測定異常フラグを第２の検索情報として設定する入力操作が操作部８０から行われると、ダイアログボックス７４１内に「レ」が表示される。また、測定異常フラグを第２の検索情報として設定しない場合、ダイアログボックス７４１内は空白になる。
【００４３】
ここで、第２の検索情報として測定異常フラグが設定されていると、検索部４０では、検査情報記憶部３２に保存された検査情報の中から測定異常フラグを有する検査情報を検索する。次いで、検索した検査情報に含まれる容器ＩＤで識別される反応容器３を、洗浄対象の反応容器として決定する。
【００４４】
「基準範囲」の欄に、異常データフラグを第２の検索情報として設定する入力操作が操作部８０から行われると、ダイアログボックス７４２内に「レ」が表示される。また、異常データフラグを第２の検索情報として設定しない場合、ダイアログボックス７４２内は空白になる。なお、基準範囲は測定範囲に含まれるため、「測定範囲」の欄に測定異常フラグが第２の検索情報として設定されていると、異常データフラグも第２の検索情報として設定され、ダイアログボックス７４２内に「レ」が表示される。
【００４５】
ここで、第２の検索情報として測定異常フラグが設定されていると、検索部４０では、検査情報記憶部３２に保存された検査情報の中から測定異常フラグを有する検査情報を検索する。次いで、検索した検査情報に含まれる容器ＩＤで識別される反応容器３を、洗浄対象の反応容器として決定する。
【００４６】
「データ」の欄は、「１」乃至「ｐ」の欄と、各「１」乃至「ｐ」の欄に対応する「識別情報」、「項目」、及び「時刻」の欄とにより構成される。そして、「１」の欄に対応する「識別情報」の欄に、反応容器３を含む要因により悪化した可能性がある例えば分析データに対応する被検試料の識別情報を設定するための入力操作が行われると、ダイアログボックス７４１ａ内に入力された識別情報が表示される。また、「項目」の欄に、反応容器３を含む要因により悪化した可能性がある分析データの検査項目を設定するために選択入力する操作が行われると、ダイアログボックス７４１ｂ内に入力された検査項目が表示される。更に、「時刻」の欄に、「項目」の欄に設定した検査項目を分析するために「識別情報」の欄に設定した識別情報の被検試料を分注したときの分注時刻を設定する入力操作が行われると、ダイアログボックス７４１ｃ内に入力された分注時刻が表示される。
【００４７】
また、各「２」乃至「ｐ」の欄に対応する「識別情報」、「項目」、及び「時刻」の欄に、「１」の欄の場合と同様にして、反応容器３を含む要因により悪化した可能性がある夫々異なる分析データに対応する識別情報、検査項目、及び分注時刻を設定するための入力操作が行われると、各ダイアログボックス７４２ａ乃至７４ｐａ内に入力された識別情報が表示される。また、各ダイアログボックス７４２ｂ乃至７４ｐｂ内に入力された検査項目が表示される。更に、各ダイアログボックス７４２ｃ乃至７４ｐｃ内に入力された分注時刻が表示される。
【００４８】
ここで、第２の検索情報として各「１」乃至「ｐ」の欄に対応する「識別情報」、「項目」、及び「時刻」の欄に識別情報、検査項目の情報、及び分注時刻が設定されていると、検索部４０では、設定された識別情報、検査項目の情報、及び分注時刻を有する検査情報を検査情報記憶部３２に保存された検査情報の中から検索する。次いで、検索した検査情報に含まれる容器ＩＤで識別される反応容器３を、洗浄対象の反応容器として決定する。
【００４９】
図６は、表示部７２に表示された第３の検索情報設定画面の一例を示した図である。この第３の検索情報設定画面７５は、表示部７２の識別情報設定画面で設定された識別情報の試料を第３の検索情報として設定するための「試料の種類」の欄により構成される。そして、操作部８０からの入力操作により、「試料の種類」の欄に設定された第３の検索情報は、システム制御部９０の記憶回路９１に保存される。
【００５０】
「試料の種類」の欄には、被検試料が定期的に透析を行っている透析前の被検体から採取された血液を処理して得られた血清である「透析前の血清」、被検試料が被検体から採取された尿である「尿」、被検試料が被検体の血液から抽出された赤血球成分である「赤血球成分」等の様々な種類の試料が表示されている。この欄に表示された試料の中から、分析部２４の洗浄ユニット１２による測定中の洗浄だけでは、反応容器３内に残存して、各検査項目の分析に影響を与える可能性がある試料を第３の検索情報として設定する。
【００５１】
そして、「試料の種類」の欄に表示された試料の中から設定するための入力操作が操作部８０から行われると、その試料に対応するダイアログボックス内に「レ」が表示され、設定されない試料のダイアログボックス内は空白になる。例えば「透析前の血清」を設定する入力操作が行われると、ダイアログボックス７５１内に「レ」が表示され、設定されないとダイアログボックス７５１内は空白になる。また、「尿」を設定する入力操作が行われると、ダイアログボックス７５２内に「レ」が表示され、設定されないとダイアログボックス７５２内は空白になる。更に、「赤血球成分」を設定する入力操作が行われると、ダイアログボックス７５３内に「レ」が表示され、設定されないとダイアログボックス７５３内は空白になる。
【００５２】
ここで、「試料の種類」の欄に表示された各試料の識別が可能なように、表示部７２の識別情報設定画面に識別情報を設定することができる。そして、第３の検索情報として試料が設定されていると、検索部４０では、設定された試料の識別情報を有する検査情報を検査情報記憶部３２に保存された検査情報の中から検索する。次いで、検索した検査情報に含まれる容器ＩＤで識別される反応容器３を、洗浄対象の反応容器として決定する。
【００５３】
図７は、表示部７２に表示された洗浄条件設定画面の一例を示した図である。この洗浄条件設定画面７６は、洗浄液を用いて反応容器３を洗浄するか否かを設定するための「反応容器」の欄と、洗浄液を用いてサンプル分注プローブ１６を洗浄するか否かを設定するための「サンプル分注プローブ」の欄と、洗浄液を用いて第１及び第２試薬分注プローブ１４，１５を洗浄するか否かを設定するための「試薬分注プローブ」の欄と、洗浄液を用いて第１及び第２撹拌子１８，１９を洗浄するか否かを設定するための「撹拌子」の欄とにより構成される。そして、操作部８０からの入力操作により、各欄に設定された洗浄条件の情報は、システム制御部９０の記憶回路９１に保存される。
【００５４】
「反応容器」の欄には、「第１の検索」、「第２の検索」、及び「第３の検索」の欄が表示される。そして、「第１の検索」の欄に、洗浄液を用いて洗浄する洗浄対象の反応容器３を図４の第１の検索情報設定画面７３で設定された第１の検索情報に基づいて決定することを設定するための入力操作が行われると、ダイアログボックス７６１内に「レ」が表示され、第１の検索情報に基づいて決定することを設定しない場合、ダイアログボックス７６１内は空白になる。
【００５５】
また、「第２の検索」の欄に、洗浄液を用いて洗浄する洗浄対象の反応容器３を図５の第２の検索情報設定画面７４で設定された第２の検索情報に基づいて決定することを設定するための入力操作が行われると、ダイアログボックス７６２内に「レ」が表示され、第２の検索情報に基づいて決定することを設定しない場合、ダイアログボックス７６２内は空白になる。
【００５６】
更に、「第３の検索」の欄に、洗浄液を用いて洗浄する洗浄対象の反応容器３を図６の第３の検索情報設定画面７５で設定された第３の検索情報に基づいて決定することを設定するための入力操作が行われると、ダイアログボックス７６３内に「レ」が表示され、第３の検索情報に基づいて決定することを設定しない場合、ダイアログボックス７６３内は空白になる。
【００５７】
そして、「第１の検索」、「第２の検索」、及び「第３の検索」の欄に設定された全ての検索情報に基づいて、洗浄対象の反応容器３を決定する。また、全ての欄に検索情報が設定されていない場合、洗浄ユニット１２により、測定中と同様の動作で反応容器３が洗浄される。
【００５８】
「サンプル分注プローブ」の欄に、洗浄液を用いてサンプル分注プローブ１６を洗浄する設定を行うための入力操作が行われると、ダイアログボックス７６４内に「レ」が表示される。また、洗浄槽１６ａで洗浄水を用いてサンプル分注プローブ１６を洗浄する設定を行うための入力操作が行われると、ダイアログボックス７６４内は空白になる。
【００５９】
「試薬分注プローブ」の欄に、洗浄液を用いて第１及び第２試薬分注プローブ１４，１５を洗浄する設定を行うための入力操作が行われると、ダイアログボックス７６５内に「レ」が表示される。また、洗浄槽１４ａ，１５ａで洗浄水を用いて第１及び第２試薬分注プローブ１４，１５を洗浄する設定を行うための入力操作が行われると、ダイアログボックス７６５内は空白になる。
【００６０】
「撹拌子」の欄に、洗浄液を用いて第１及び第２撹拌子１８，１９を洗浄する設定を行うための入力操作が行われると、ダイアログボックス７６６内に「レ」が表示される。また、洗浄槽１８ａ，１９ａで洗浄水を用いて第１及び第２撹拌子１８，１９を洗浄する設定を行うための入力操作が行われると、ダイアログボックス７６６内は空白になる。
【００６１】
なお、反応容器３の洗浄液を用いた測定外洗浄の間隔は、自動分析装置１００を使用する施設で処理する被検試料や検査項目の数に応じて定められる。また、反応容器３以外の各分析ユニットの洗浄液を用いた測定外洗浄は、１日の各試料の測定終了後に行われる。更に、１日の各試料の測定前の測定外洗浄では、反応容器３を洗浄ユニット１２で洗浄し、反応容器３以外の各分析ユニットを各洗浄槽で洗浄水を用いて洗浄する。
【００６２】
このように、各第１乃至第３の検索情報を設定することにより、設定された検索情報に基づいて洗浄液を用いて洗浄する反応容器３を決定することができる。また、反応容器３、サンプル分注プローブ１６、第１及び第２試薬分注プローブ１４，１５、並びに第１及び第２撹拌子１８，１９を、洗浄液を用いて洗浄する洗浄条件に設定することにより、測定中の洗浄や洗浄水を用いた洗浄よりも強力に洗浄することができる。
【００６３】
以下、図１乃至図８を参照して、自動分析装置１００における測定外洗浄の動作の一例を説明する。  
図８は、自動分析装置１００における測定外洗浄の動作を示したフローチャートである。システム制御部９０の記憶回路９１には、図４の第１の検索情報設定画面７３で設定された第１の検索情報、図５の第２の検索情報設定画面７４で設定された第２の検索情報、図６の第３の検索情報設定画面７５で設定された第３の検索情報、及び図７の洗浄条件設定画面７６で設定された洗浄液を用いて洗浄する洗浄条件の情報が保存されている。また、データ処理部３０の検査情報記憶部３２には、多数の分析データ及び検査情報が保存されている。
【００６４】
そして、各試料の測定終了後に、洗浄液を収容した試料容器１７をディスクサンプラ５に収納し、また洗浄液を収容した試薬容器６，７を試薬庫１，２に収納した後、操作部８０から測定外洗浄操作が行われると、自動分析装置１００は、測定外洗浄の動作を開始する（ステップＳ１）。
【００６５】
システム制御部９０は、分析制御部２５、データ処理部３０、及び検索部４０に洗浄液を用いた測定外洗浄を指示する。分析制御部２５の制御部２７は、機構部２６を制御して分析部２４の各分析ユニットを作動させる。
【００６６】
サンプル分注ポンプ１６ｂは、ディスクサンプラ５に収納された試料容器１７内の洗浄液をサンプル分注プローブ１６内に吸引した後、吸引した洗浄液を洗浄槽１６ａ内に吐出して、サンプル分注プローブ１６の洗浄を行う（ステップＳ２）。
【００６７】
第１及び第２試薬分注ポンプ１４ｂ，１５ｂは、試薬庫１，２に収納された試薬容器６，７内の洗浄液を第１及び第２試薬分注プローブ１４，１５内に吸引した後、吸引した洗浄液を洗浄槽１４ａ，１５ａ内に吐出して、第１及び第２試薬分注プローブ１４，１５の洗浄を行う（ステップＳ３）。
【００６８】
第１試薬分注ポンプ１４ｂは、試薬容器６内の洗浄液を第１試薬分注プローブ１４内に吸引した後、吸引した洗浄液を２つの反応容器３内に吐出する分注を行う。反応ディスク４は、洗浄液が分注された反応容器３を第１及び第２撹拌子１８，１９の下方に移動する。第１及び第２撹拌アーム２０，２１は、洗浄液を収容した反応容器３内に第１及び第２撹拌子１８，１９を移動して、第１及び第２撹拌子１８，１９の洗浄を行う（ステップＳ４）。
【００６９】
検索部４０は、検査情報記憶部３２に保存された検査情報の中から前回の測定外洗浄操作が行われてから今回の測定外洗浄操作が行われるまでの間の時刻の情報を有する検査情報を検索する。次いで、検索した検査情報の中からシステム制御部９０から供給される各第１乃至第３の検索情報を有する検査情報を検索する。そして、検索した検査情報に含まれる容器ＩＤで識別される反応容器３を洗浄対象の反応容器３として決定し、その容器ＩＤを制御部２７に出力する（ステップＳ５）。
【００７０】
このように、設定された各第１乃至第３の検索情報に基づいて洗浄対象の反応容器３を決定することにより、全ての反応容器３を洗浄するときの量以下の洗浄液を用いて洗浄することができる。
【００７１】
制御部２７は、検索部４０から出力された容器ＩＤの反応容器３の洗浄を行うために機構部２６を制御して各分析ユニットを作動させる。
【００７２】
第１及び第２試薬分注ポンプ１４ｂ，１５ｂは、試薬容器６，７内の洗浄液を第１及び第２試薬分注プローブ１４，１５内に吸引した後、吸引した洗浄液を洗浄対象の反応容器３内に吐出して、洗浄対象の反応容器３の洗浄を行う。そして、洗浄ユニット１２が測定中に各反応容器３の洗浄を行う時間よりも長い時間経過した後に、洗浄ユニット１２は、洗浄液を収容した反応容器３の洗浄を行う。
【００７３】
このように、洗浄ユニット１２が測定中に反応容器３の洗浄を行う時間よりも長い時間、洗浄対象の反応容器３内に洗浄液を入れておくことにより、洗浄ユニット１２が測定中に行う洗浄よりも強力に洗浄することができる。また、洗浄対象の反応容器３のみを洗浄することにより、洗浄に要する時間を短縮することができる。
【００７４】
そして、洗浄ユニット１２が反応容器の洗浄を終えたとき、システム制御部９０が測定外洗浄の動作の停止を、分析制御部２５及びデータ処理部３０に指示することにより自動分析装置１００は測定外洗浄の動作を終了する（ステップＳ７）。
【００７５】
なお、洗浄対象の反応容器３に洗浄液を入れた状態で測定外洗浄を終了させるように実施してもよい。この場合、測定外洗浄動作の後に行われる例えば翌日の各試料の測定前の洗浄液を用いない洗浄条件に設定して行う測定外洗浄のときに、洗浄対象の反応容器３から洗浄液が排出されることになる。このように、反応容器３に洗浄液を入れた状態で測定外洗浄を終了させることにより、より強力に反応容器３を洗浄することができる。また、洗浄に要する時間をより短縮することができる。
【００７６】
以上述べた本発明の実施例によれば、第１の検索情報として検査項目の情報を設定することができる。また、測定異常フラグ、又は異常データフラグ、又は試料の識別情報、検査項目の情報、及び分注時刻を第２の検索情報として設定することができる。更に、試料の識別情報を第３の検索情報として設定することができる。そして、設定された各第１乃至第３の検索情報に基づいて、測定外洗浄のときに洗浄液を用いて洗浄する洗浄対象の反応容器３を決定することができる。
【００７７】
そして、測定外洗浄のときに、洗浄ユニット１２が測定中に反応容器３の洗浄を行う時間よりも長い時間、洗浄対象の反応容器３内に洗浄液を入れておくことにより、洗浄対象の反応容器３を洗浄ユニット１２が測定中に行う洗浄よりも強力に洗浄することができる。
【００７８】
これにより、全ての反応容器３を洗浄するときの量以下の洗浄液を用いて洗浄することが可能となり、洗浄液の消費量を削減することができる。また、洗浄対象の反応容器３を洗浄することにより、洗浄に要する時間を短縮することが可能となり、効率よく洗浄を行うことができる。
【図面の簡単な説明】
【００７９】
【図１】本発明の実施例に係る自動分析装置の構成を示すブロック図。
【図２】本発明の実施例に係る分析部の構成を示す斜視図。
【図３】本発明の実施例に係る検査情報記憶部に保存された検査情報の構成の一例を示す図。
【図４】本発明の実施例に係る表示部に表示された第１の検索情報設定画面の一例を示す図。
【図５】本発明の実施例に係る表示部に表示された第２の検索情報設定画面の一例を示す図。
【図６】本発明の実施例に係る表示部に表示された第３の検索情報設定画面の一例を示す図。
【図７】本発明の実施例に係る表示部に表示された洗浄条件設定画面の一例を示す図。
【図８】本発明の実施例に係る自動分析装置における測定外洗浄の動作を示すフローチャート。
【符号の説明】
【００８０】
２４  分析部
２５  分析制御部
２６  機構部
２７  制御部
３０  データ処理部
３１  演算部
３２  検査情報記憶部
４０  検索部
７０  出力部
７１  印刷部
７２  表示部
８０  操作部
９０  システム制御部
９１  記憶回路
１００  自動分析装置
１１０  純水装置
【図１】
2010002344.tif 000003
【図２】
2010002344.tif 000004
【図３】
2010002344.tif 000005
【図４】
2010002344.tif 000006
【図５】
2010002344.tif 000007
【図６】
2010002344.tif 000008
【図７】
2010002344.tif 000009
【図８】
2010002344.tif 000010